(57)【要約】【課題】通信回線を介してＦＡＸデータを送信可能な通信装置と通信可能であり、各種情報を表示する表示部を有する読取装置において、ユーザにＦＡＸデータ送信中の進捗状況を認識させる。【解決手段】通信回線を介してＦＡＸデータを外部装置に送信し、ＦＡＸデータ送信の進捗状況を示す進捗情報を他の装置へ送信する、通信ＢＯＸと通信可能であり、各種情報を表示する表示部を備えた読取装置であって、原稿が読み取られ作成されたＦＡＸデータと、通信回線を介した当該ＦＡＸデータの外部装置への送信指示とを、通信ＢＯＸへ送信する。また、通信ＢＯＸにＦＡＸデータ送信中の進捗状況を示す進捗情報を送信させるタイミングを示すタイミング情報を、通信ＢＯＸへ送信する。そして、そのタイミング情報に基づいて、通信ＢＯＸから送信される進捗情報を受信し、その進捗情報に基づいて、ＦＡＸデータ送信の進捗状況を表示部へ表示する。【選択図】  図３
2011071687.tif 000002
【特許請求の範囲】
【請求項１】
通信回線を介してファクシミリデータを外部装置に送信するファクシミリデータ送信手段と、前記ファクシミリデータ送信手段によるファクシミリデータ送信の進捗状況を示す進捗情報を他の装置へ送信する進捗情報送信手段と、を備えた通信装置と通信可能であり、各種情報を表示する表示部を備えた読取装置であって、
原稿を読み取る読取手段と、
前記読取手段により読み取られた原稿からファクシミリデータを作成するファクシミリデータ作成手段と、
前記ファクシミリデータ作成手段により作成されたファクシミリデータと、前記通信回線を介した当該ファクシミリデータの外部装置への送信指示とを、前記通信装置へ送信するデータ送信手段と、
前記送信指示に基づくファクシミリデータ送信中の進捗状況を示す進捗情報を前記通信装置に送信させるタイミングを示すタイミング情報を、前記通信装置へ送信するタイミング情報送信手段と、
前記タイミング情報送信手段により送信したタイミング情報に基づいて、前記通信装置から送信される進捗情報を受信する進捗情報受信手段と、
前記進捗情報受信手段により受信した進捗情報に基づいて、ファクシミリデータ送信の進捗状況を前記表示部へ表示する表示制御手段と、
を備えることを特徴とする読取装置。
【請求項２】
前記ファクシミリデータに基づく画像のうち所定の割合の前記画像を表示するために必要なファクシミリデータ量を取得するデータ量取得手段と、
前記データ量取得手段により取得されたファクシミリデータ量と、前記所定の割合とが対応付けて記憶された進捗度テーブルを作成する進捗度テーブル作成手段と、を備え、
前記タイミング情報送信手段は、前記タイミング情報として前記進捗度テーブルを前記ファクシミリデータと関連付けて前記通信装置へ送信し、
前記進捗情報受信手段は、前記進捗度テーブルに記憶されたファクシミリデータ量分のファクシミリデータ送信が前記通信装置で行われたことを条件として前記通信装置から送信される、当該ファクシミリデータ量に対応付けられた前記所定の割合を前記進捗情報として、前記通信装置から受信することを特徴とする請求項１に記載の読取装置。
【請求項３】
前記原稿は複数ページから構成され、前記ファクシミリデータ作成手段により作成されるファクシミリデータは複数ページから構成されており、
前記データ量取得手段は、１ページ分の前記ファクシミリデータに基づくページ画像のうち所定の割合の前記ページ画像を表示するために必要なファクシミリデータ量を取得し、
前記進捗度テーブル作成手段は、前記データ量取得手段により取得されたファクシミリデータ量と、前記所定の割合と、前記ファクシミリデータのページ番号とが対応付けて記憶された進捗度テーブルを、前記ファクシミリデータのページ毎に作成し、
前記進捗情報受信手段は、前記所定の割合と、当該所定の割合に対応付けられたページ番号とを、前記進捗情報として受信することを特徴とする請求項２に記載の読取装置。
【請求項４】
前記所定の割合を設定可能な設定手段を備え、
前記データ量取得手段は、前記設定手段により設定された所定の割合に基づいて、当該進捗度に対応する前記ファクシミリデータ量を取得することを特徴とする請求項２または３に記載の読取装置。
【請求項５】
前記ファクシミリデータに基づいて表示用データを作成する表示用データ作成手段を備え、
前記表示制御手段は、前記進捗情報受信手段により受信された進捗情報に基づいて、前記表示用データに基づいて表示される画像のうち、ファクシミリデータ送信中の部分を、他の部分と異なる態様で前記表示部に表示させることを特徴とする請求項１〜４のいずれかに記載の読取装置。
【請求項６】
他の装置から取得したファクシミリデータ送信の進捗状況を示す進捗情報を表示する表示部を有する読取装置と通信可能であり、通信回線を介してファクシミリデータを送信可能な通信装置であって、
前記読取装置からファクシミリデータと、前記通信回線を介した当該ファクシミリデータの外部装置への送信指示とを受信するデータ受信手段と、
前記送信指示に基づくファクシミリデータ送信中の進捗状況を示す進捗情報を前記読取装置へ送信するタイミングを示すタイミング情報を、前記読取装置から受信するタイミング情報受信手段と、
前記送信指示に基づいて、前記ファクシミリデータを、前記通信回線を介して外部装置へ送信するファクシミリデータ送信手段と、
前記ファクシミリデータ送信手段におけるファクシミリデータ送信中の進捗状況を示す進捗情報を取得する進捗情報取得手段と、
前記タイミング情報受信手段により受信したタイミング情報に基づいて、前記進捗情報を前記読取装置へ送信する進捗情報送信手段と、
を備えることを特徴とする通信装置。
【請求項７】
前記タイミング情報受信手段は、前記ファクシミリデータに基づく画像のうち所定の割合の前記画像を表示するために必要なファクシミリデータ量と、当該割合とが対応付けて記憶された進捗度テーブルを、前記タイミング情報として前記ファクシミリデータと関連付けて前記読取装置から受信し、
前記データ受信手段により受信したファクシミリデータのうち、前記ファクシミリデータ送信手段による送信が完了したファクシミリデータ量が、前記進捗度テーブルに記憶されているファクシミリデータ量に一致するか否かを判断する判断手段を備え、
前記進捗情報取得手段は、前記判断手段により、送信が完了したファクシミリデータ量が、前記進捗度テーブルに記憶されているファクシミリデータ量に一致したことを条件として、前記進捗度テーブルのうち、当該ファクシミリデータ量に対応付けられた前記所定の割合を前記進捗情報として取得することを特徴とする請求項６に記載の通信装置。
【請求項８】
前記ファクシミリデータは複数のページから構成されており、
前記タイミング情報受信手段は、１ページ分のファクシミリデータに基づくページ画像のうち所定の割合の前記ページ画像を表示するために必要なファクシミリデータ量と、当該割合と、前記ファクシミリデータのページ番号とが対応付けて記憶された進捗度テーブルを、前記タイミング情報として前記ファクシミリデータに関連付けてページ毎に前記読取装置から受信し、
前記進捗情報送信手段は、前記進捗情報取得手段により取得された進捗情報のうち、１つの進捗度テーブルに対して少なくとも１つの進捗情報を、前記ページ番号に対応付けて前記読取装置へ送信することを特徴とする請求項７に記載の通信装置。
【請求項９】
複数台の読取装置と通信可能であり、
前記データ受信手段は、前記複数台の読取装置のうち、前記ファクシミリデータの送信元装置を識別可能な識別情報を当該送信元装置から受信し、
前記進捗情報送信手段は、前記識別情報から前記送信元装置を特定し、当該送信元装置へ前記進捗情報を送信することを特徴とする請求項６〜８のいずれかに記載の通信装置。
【請求項１０】
通信回線を介してファクシミリデータを外部装置へ送信可能な通信装置と、当該通信装置と通信可能であり、各種情報を表示する表示部を備えた読取装置と、から構成される通信システムにおいて、
前記読取装置は、
原稿を読み取る読取手段と、
前記読取手段により読み取られた原稿からファクシミリデータを作成するファクシミリデータ作成手段と、
前記ファクシミリデータ作成手段により作成されたファクシミリデータと、前記通信回線を介した当該ファクシミリデータの外部装置への送信指示とを、前記通信装置へ送信するデータ送信手段と、
前記送信指示に基づくファクシミリデータ送信中の進捗状況を示す進捗情報を、前記通信装置に送信させるタイミングを示すタイミング情報を、前記通信装置へ送信するタイミング情報送信手段と、
前記通信装置から前記進捗情報を受信する進捗情報受信手段と、
前記進捗情報受信手段により受信した進捗情報に基づいて、ファクシミリデータ送信の進捗状況を前記表示部へ表示する表示制御手段と、
を備え、
前記通信装置は、
前記読取装置からファクシミリデータと、前記送信指示とを受信するデータ受信手段と、
前記読取装置から送信される前記タイミング情報を受信するタイミング情報受信手段と、
前記データ受信手段により受信した前記送信指示に基づいて、前記ファクシミリデータを前記通信回線を介して前記外部装置へ送信するファクシミリデータ送信手段と、
前記ファクシミリデータ送信手段におけるファクシミリデータ送信中の進捗状況を示す進捗情報を取得する進捗情報取得手段と、
前記タイミング情報受信手段により受信したタイミング情報に基づいて、前記進捗情報を前記読取装置へ送信する進捗情報送信手段と、
を備えることを特徴とする通信システム。
【請求項１１】
前記読取装置は、
前記ファクシミリデータに基づく画像のうち所定の割合の前記画像を表示するために必要なファクシミリデータ量を取得するデータ量取得手段と、
前記データ量取得手段により取得されたファクシミリデータ量と、前記所定の割合とが対応付けて記憶された進捗度テーブルを作成する進捗度テーブル作成手段と、を備え、
前記タイミング情報送信手段は、前記タイミング情報として前記進捗度テーブルを前記ファクシミリデータと関連付けて前記通信装置へ送信し、
前記通信装置は
前記データ受信手段により受信したファクシミリデータのうち、前記ファクシミリデータ送信手段による送信が完了したファクシミリデータ量が、前記タイミング情報受信手段により前記タイミング情報として受信した前記進捗度テーブルに記憶されているファクシミリデータ量に一致するか否かを判断する判断手段を更に備え、
前記進捗情報取得手段は、前記判断手段により、送信が完了したファクシミリデータ量が、前記進捗度テーブルに記憶されているファクシミリデータ量に一致したことを条件として、前記進捗度テーブルのうち、当該ファクシミリデータ量に対応付けられた前記所定の割合を前記進捗情報として取得することを特徴とする請求項１０に記載の通信システム。
【請求項１２】
前記原稿は複数ページから構成され、前記ファクシミリデータ作成手段により作成されるファクシミリデータは複数ページから構成されており、
前記データ量取得手段は、１ページ分の前記ファクシミリデータに基づくページ画像のうち所定の割合の前記ページ画像を表示するために必要なファクシミリデータ量を取得し、
前記進捗度テーブル作成手段は、前記データ量取得手段により取得されたファクシミリデータ量と、前記所定の割合と、前記ファクシミリデータのページ番号とが対応付けて記憶された進捗度テーブルを、前記ファクシミリデータのページ毎に作成し、
前記進捗情報送信手段は、前記進捗情報取得手段により取得された進捗情報のうち、１つの進捗度テーブルに対して少なくとも１つの進捗情報を、前記ページ番号に対応付けて前記読取装置へ送信することを特徴とする請求項１１に記載の通信システム。
【請求項１３】
前記読取装置は、前記所定の割合を設定可能な設定手段を更に備え、
前記データ量取得手段は、前記設定手段により設定された所定の割合に基づいて、前記ファクシミリデータ量を取得することを特徴とする請求項１１または１２に記載の通信システム。
【請求項１４】
前記読取装置は、前記ファクシミリデータに基づいて表示用データを作成する表示用データ作成手段を備え、
前記表示制御手段は、前記進捗情報受信手段により受信された進捗情報に基づいて、前記表示用データに基づいて表示される画像のうち、ファクシミリデータ送信中の部分を、他の部分と異なる態様で前記表示部に表示させることを特徴とする請求項１０〜１３のいずれかに記載の通信システム。
【請求項１５】
前記通信装置は、複数台の読取装置と通信可能であり、
前記データ受信手段は、前記複数台の読取装置のうち、前記ファクシミリデータの送信元装置を識別可能な識別情報を当該送信元装置から受信し、
前記進捗情報送信手段は、前記識別情報から前記送信元装置を特定し、当該送信元装置へ前記進捗情報を送信することを特徴とする請求項１０〜１４のいずれかに記載の通信システム。
【発明の詳細な説明】
【技術分野】
【０００１】
本発明は、通信回線を介してファクシミリデータを送信可能な通信装置と通信可能であり、各種情報を表示する表示部を有する読取装置、当該通信装置、および、当該読取装置と当該通信装置とから構成される通信システムに関する。
【背景技術】
【０００２】
従来、通信装置と通信可能な端末装置が画像を読み取り、通信装置を経由してファクシミリ送信する通信システムが提案されている。
【０００３】
特許文献１に記載されている通信システムは、ネットワークを介して接続された親機と子機とによって構成されている複写装置であって、子機に原稿をセットし、ファクシミリ送信処理指令を実行すると、子機により読み取られた画像データは、全ての原稿の読み取りが終了したことを条件として、親機に送信され、親機から、ファクシミリ送信指令に含まれる相手先にファクシミリ送信される。親機によるファクシミリ送信が終了すると、送信結果が子機に送信され、子機の表示部に表示される。
【先行技術文献】
【特許文献】
【０００４】
【特許文献１】特開平８−２７９８６５号公報
【発明の概要】
【発明が解決しようとする課題】
【０００５】
しかしながら、特許文献１に記載の発明では、ファクシミリ送信終了後に送信結果が表示部に表示されるため、子機のユーザは、ファクシミリ送信中における進捗状況を認識することができず不便である。
【０００６】
本発明は、上述した問題点を解決するためになされたものであり、通信回線を介してファクシミリデータを送信可能な通信装置と通信可能であり、各種情報を表示する表示部を有する読取装置において、ユーザにファクシミリデータ送信中の進捗状況を認識させることが可能な読取装置、当該通信装置、および、当該読取装置と当該通信装置とから構成される通信システムを提供することを目的とする。
【課題を解決するための手段】
【０００７】
前記目的を達成するために、請求項１に記載の読取装置は、通信回線を介してファクシミリデータを外部装置に送信するファクシミリデータ送信手段と、前記ファクシミリデータ送信手段によるファクシミリデータ送信の進捗状況を示す進捗情報を他の装置へ送信する進捗情報送信手段と、を備えた通信装置と通信可能であり、各種情報を表示する表示部を備えた読取装置であって、原稿を読み取る読取手段と、前記読取手段により読み取られた原稿からファクシミリデータを作成するファクシミリデータ作成手段と、前記ファクシミリデータ作成手段により作成されたファクシミリデータと、前記通信回線を介した当該ファクシミリデータの外部装置への送信指示とを、前記通信装置へ送信するデータ送信手段と、前記送信指示に基づくファクシミリデータ送信中の進捗状況を示す進捗情報を前記通信装置に送信させるタイミングを示すタイミング情報を、前記通信装置へ送信するタイミング情報送信手段と、前記タイミング情報送信手段により送信したタイミング情報に基づいて、前記通信装置から送信される進捗情報を受信する進捗情報受信手段と、前記進捗情報受信手段により受信した進捗情報に基づいて、ファクシミリデータ送信の進捗状況を前記表示部へ表示する表示制御手段と、を備えることを特徴とする。
【０００８】
また、請求項２に記載の発明は、請求項１に記載の読取装置において、前記ファクシミリデータに基づく画像のうち所定の割合の前記画像を表示するために必要なファクシミリデータ量を取得するデータ量取得手段と、前記データ量取得手段により取得されたファクシミリデータ量と、前記所定の割合とが対応付けて記憶された進捗度テーブルを作成する進捗度テーブル作成手段と、を備え、前記タイミング情報送信手段は、前記タイミング情報として前記進捗度テーブルを前記ファクシミリデータと関連付けて前記通信装置へ送信し、前記進捗情報受信手段は、前記進捗度テーブルに記憶されたファクシミリデータ量分のファクシミリデータ送信が前記通信装置で行われたことを条件として前記通信装置から送信される、当該ファクシミリデータ量に対応付けられた前記所定の割合を前記進捗情報として、前記通信装置から受信することを特徴とする。
【０００９】
また、請求項３に記載の発明は、請求項２に記載の読取装置において、前記原稿は複数ページから構成され、前記ファクシミリデータ作成手段により作成されるファクシミリデータは複数ページから構成されており、前記データ量取得手段は、１ページ分の前記ファクシミリデータに基づくページ画像のうち所定の割合の前記ページ画像を表示するために必要なファクシミリデータ量を取得し、前記進捗度テーブル作成手段は、前記データ量取得手段により取得されたファクシミリデータ量と、前記所定の割合と、前記ファクシミリデータのページ番号とが対応付けて記憶された進捗度テーブルを、前記ファクシミリデータのページ毎に作成し、前記進捗情報受信手段は、前記所定の割合と、当該所定の割合に対応付けられたページ番号とを、前記進捗情報として受信することを特徴とする。
【００１０】
また、請求項４に記載の発明は、請求項２または３に記載の読取装置において、前記所定の割合を設定可能な設定手段を備え、前記データ量取得手段は、前記設定手段により設定された所定の割合に基づいて、当該進捗度に対応する前記ファクシミリデータ量を取得することを特徴とする。
【００１１】
また、請求項５に記載の発明は、請求項１〜４のいずれかに記載の読取装置において、前記ファクシミリデータに基づいて表示用データを作成する表示用データ作成手段を備え、前記表示制御手段は、前記進捗情報受信手段により受信された進捗情報に基づいて、前記表示用データに基づいて表示される画像のうち、ファクシミリデータ送信中の部分を、他の部分と異なる態様で前記表示部に表示させることを特徴とする。
【００１２】
また、請求項６に記載の発明は、他の装置から取得したファクシミリデータ送信の進捗状況を示す進捗情報を表示する表示部を有する読取装置と通信可能であり、通信回線を介してファクシミリデータを送信可能な通信装置であって、前記読取装置からファクシミリデータと、前記通信回線を介した当該ファクシミリデータの外部装置への送信指示とを受信するデータ受信手段と、前記送信指示に基づくファクシミリデータ送信中の進捗状況を示す進捗情報を前記読取装置へ送信するタイミングを示すタイミング情報を、前記読取装置から受信するタイミング情報受信手段と、前記送信指示に基づいて、前記ファクシミリデータを、前記通信回線を介して外部装置へ送信するファクシミリデータ送信手段と、前記ファクシミリデータ送信手段におけるファクシミリデータ送信の進捗中状況を示す進捗情報を取得する進捗情報取得手段と、前記タイミング情報受信手段により受信したタイミング情報に基づいて、前記進捗情報を前記読取装置へ送信する進捗情報送信手段と、を備えることを特徴とする。
【００１３】
また、請求項７に記載の発明は、請求項６に記載の通信装置において、前記タイミング情報受信手段は、前記ファクシミリデータに基づく画像のうち所定の割合の前記画像を表示するために必要なファクシミリデータ量と、当該割合とが対応付けて記憶された進捗度テーブルを、前記タイミング情報として前記ファクシミリデータと関連付けて前記読取装置から受信し、前記データ受信手段により受信したファクシミリデータのうち、前記ファクシミリデータ送信手段による送信が完了したファクシミリデータ量が、前記進捗度テーブルに記憶されているファクシミリデータ量に一致するか否かを判断する判断手段を備え、前記進捗情報取得手段は、前記判断手段により、送信が完了したファクシミリデータ量が、前記進捗度テーブルに記憶されているファクシミリデータ量に一致したことを条件として、前記進捗度テーブルのうち、当該ファクシミリデータ量に対応付けられた前記所定の割合を前記進捗情報として取得することを特徴とする。
【００１４】
また、請求項８に記載の発明は、請求項７に記載の通信装置において、前記ファクシミリデータは複数のページから構成されており、前記タイミング情報受信手段は、１ページ分のファクシミリデータに基づくページ画像のうち所定の割合の前記ページ画像を表示するために必要なファクシミリデータ量と、当該割合と、前記ファクシミリデータのページ番号とが対応付けて記憶された進捗度テーブルを、前記タイミング情報として前記ファクシミリデータに関連付けてページ毎に前記読取装置から受信し、前記進捗情報送信手段は、前記進捗情報取得手段により取得された進捗情報のうち、１つの進捗度テーブルに対して少なくとも１つの進捗情報を、前記ページ番号に対応付けて前記読取装置へ送信することを特徴とする。
【００１５】
また、請求項９に記載の発明は、請求項６〜８のいずれかに記載の通信装置において、複数台の読取装置と通信可能であり、前記データ受信手段は、前記複数台の読取装置のうち、前記ファクシミリデータの送信元装置を識別可能な識別情報を当該送信元装置から受信し、前記進捗情報送信手段は、前記識別情報から前記送信元装置を特定し、当該送信元装置へ前記進捗情報を送信することを特徴とする。
【００１６】
また、請求項１０に記載の通信システムは、通信回線を介してファクシミリデータを外部装置へ送信可能な通信装置と、当該通信装置と通信可能であり、各種情報を表示する表示部を備えた読取装置と、から構成される通信システムにおいて、前記読取装置は、原稿を読み取る読取手段と、前記読取手段により読み取られた原稿からファクシミリデータを作成するファクシミリデータ作成手段と、前記ファクシミリデータ作成手段により作成されたファクシミリデータと、前記通信回線を介した当該ファクシミリデータの外部装置への送信指示とを、前記通信装置へ送信するデータ送信手段と、前記送信指示に基づくファクシミリデータ送信中の進捗状況を示す進捗情報を前記通信装置に送信させるタイミングを示すタイミング情報を、前記通信装置へ送信するタイミング情報送信手段と、前記通信装置から前記進捗情報を受信する進捗情報受信手段と、前記進捗情報受信手段により受信した進捗情報に基づいて、ファクシミリデータ送信の進捗状況を前記表示部へ表示する表示制御手段と、を備え、前記通信装置は、前記読取装置からファクシミリデータと、前記送信指示とを受信するデータ受信手段と、前記読取装置から送信される前記タイミング情報を受信するタイミング情報受信手段と、前記データ受信手段により受信した前記送信指示に基づいて、前記ファクシミリデータを前記通信回線を介して前記外部装置へ送信するファクシミリデータ送信手段と、前記ファクシミリデータ送信手段におけるファクシミリデータ送信中の進捗状況を示す進捗情報を取得する進捗情報取得手段と、前記タイミング情報受信手段により受信したタイミング情報に基づいて、前記進捗情報を前記読取装置へ送信する進捗情報送信手段と、を備えることを特徴とする。
【００１７】
また、請求項１１に記載の発明は、請求項１０に記載の通信システムにおいて、前記読取装置は、前記ファクシミリデータに基づく画像のうち所定の割合の前記画像を表示するために必要なファクシミリデータ量を取得するデータ量取得手段と、前記データ量取得手段により取得されたファクシミリデータ量と、前記所定の割合とが対応付けて記憶された進捗度テーブルを作成する進捗度テーブル作成手段と、を備え、前記タイミング情報送信手段は、前記進捗度テーブルを前記ファクシミリデータと関連付けて前記通信装置へ送信し、前記通信装置は、前記データ受信手段により受信したファクシミリデータのうち、前記ファクシミリデータ送信手段による送信が完了したファクシミリデータ量が、前記タイミング情報受信手段により前記タイミング情報として受信した前記進捗度テーブルに記憶されているファクシミリデータ量に一致するか否かを判断する判断手段を更に備え、前記進捗情報取得手段は、前記判断手段により、送信が完了したファクシミリデータ量が、前記進捗度テーブルに記憶されているファクシミリデータ量に一致したことを条件として、前記進捗度テーブルのうち、当該ファクシミリデータ量に対応付けられた前記所定の割合を前記進捗情報として取得することを特徴とする。
【００１８】
また、請求項１２に記載の発明は、請求項１１に記載の通信システムにおいて、前記原稿は複数ページから構成され、前記ファクシミリデータ作成手段により作成されるファクシミリデータは複数ページから構成されており、前記データ量取得手段は、１ページ分の前記ファクシミリデータに基づくページ画像のうち所定の割合の前記ページ画像を表示するために必要なファクシミリデータ量を取得し、前記進捗度テーブル作成手段は、前記データ量取得手段により取得されたファクシミリデータ量と、前記所定の割合と、前記ファクシミリデータのページ番号とが対応付けて記憶された進捗度テーブルを、前記ファクシミリデータのページ毎に作成し、前記進捗情報送信手段は、前記進捗情報取得手段により取得された進捗情報のうち、１つの進捗度テーブルに対して少なくとも１つの進捗情報を、前記ページ番号に対応付けて前記読取装置へ送信することを特徴とする。
【００１９】
また、請求項１３に記載の発明は、請求項１１または１２に記載の通信システムにおいて、前記読取装置は、前記所定の割合を設定可能な設定手段を更に備え、前記データ量取得手段は、前記設定手段により設定された所定の割合に基づいて、前記ファクシミリデータ量を取得することを特徴とする。
【００２０】
また、請求項１４に記載の発明は、請求項１０〜１３のいずれかに記載の通信システムにおいて、前記読取装置は、前記ファクシミリデータに基づいて表示用データを作成する表示用データ作成手段を備え、前記表示制御手段は、前記進捗情報受信手段により受信された進捗情報に基づいて、前記表示用データに基づいて表示される画像のうち、ファクシミリデータ送信中の部分を、他の部分と異なる態様で前記表示部に表示させることを特徴とする。
【００２１】
更に、請求項１５に記載の発明は、請求項１０〜１４のいずれかに記載の通信システムにおいて、前記通信装置は、複数台の読取装置と通信可能であり、前記データ受信手段は、前記複数台の読取装置のうち、前記ファクシミリデータの送信元装置を識別可能な識別情報を当該送信元装置から受信し、前記進捗情報送信手段は、前記識別情報から前記送信元装置を特定し、当該送信元装置へ前記進捗情報を送信することを特徴とする。
【発明の効果】
【００２２】
請求項１に記載の発明によれば、読取装置で原稿が読み取られ作成されたファクシミリデータが、読取装置と通信可能な通信装置を経由して送信される場合において、ファクシミリデータ送信中の進捗状況を示す進捗情報を通信装置が送信するタイミングを示すタイミング情報に基づいて、進捗情報を通信装置から受信する。そして、その進捗情報に基づいて、ファクシミリデータ送信中の進捗状況を、読取装置の表示部に表示させることにより、読取装置において、ユーザにファクシミリデータ送信中の進捗状況を認識させることができる。
【００２３】
また、請求項２に記載の発明は、ファクシミリデータに基づく画像のうち所定の割合の画像を表示するために必要なファクシミリデータ量と、その所定の割合と、が対応付けて記憶された進捗度テーブルを作成して通信装置へ送信し、進捗度テーブルに基づき送信される進捗情報を通信装置から受信する。これにより、通信装置におけるファクシミリデータ送信の進捗情報として、ファクシミリデータに基づく画像がどの部分まで送信されたかを特定することができる。
【００２４】
また、請求項３に記載の発明は、１ページ分のファクシミリデータに基づくページ画像のうち所定の割合のページ画像を表示するために必要なファクシミリデータ量と、その所定の割合と、ファクシミリデータのページ番号とが対応付けて記憶された進捗度テーブルをページ毎に作成する。そして、ページ番号と進捗情報としての所定の割合とを対応付けて通信装置から受信する。これにより、送信中のファクシミリデータのページ番号を容易に特定することができる。
【００２５】
また、請求項４および請求項１３に記載の発明は、ファクシミリデータにおける所定の割合を設定可能とすることにより、各々のファクシミリデータについて、ユーザにより設定された所望の割合に基づいて、ファクシミリデータ送信中の進捗状況をユーザに認識させることができる。
【００２６】
また、請求項５および請求項１４に記載の発明は、表示用データに基づいて表示される画像のうち、進捗情報に基づいて、ファクシミリデータ送信中の部分を、他の部分と異なる態様で表示部に表示させることにより、ユーザにファクシミリデータ送信中の進捗状況をより容易に認識させることができる。
【００２７】
また、請求項６に記載の発明は、読取装置から取得したファクシミリデータが、読取装置と通信可能な通信装置を経由してファクシミリデータ送信される場合において、ファクシミリデータ送信中の進捗状況を示す進捗情報を読取装置へ送信するタイミングを示すタイミング情報に基づいて、進捗情報を読取装置へ送信することにより、ファクシミリデータ送信中の進捗状況を読取装置の表示部に表示させることができる。よって、読取装置において、ユーザにファクシミリデータ送信中の進捗状況を認識させることができる。
【００２８】
また、請求項７に記載の発明は、ファクシミリデータのうち送信が完了したファクシミリデータ量が、進捗度テーブルに記憶されたファクシミリデータ量に一致することを条件として、当該ファクシミリデータ量に対応する割合を進捗情報として取得する。これにより、通信装置におけるファクシミリデータ送信の進捗情報として、送信が完了されたデータがファクシミリデータに対して占める割合、すなわち、ファクシミリデータに基づく画像がどの部分まで送信されたかを読取装置に通知することができる。
【００２９】
また、請求項８に記載の発明は、進捗度テーブルがファクシミリデータのページ毎に形成され、１つの進捗度テーブルに対して少なくとも１つの進捗情報をページ番号に対応付けて読取装置へ送信することにより、送信されたページを確実に読取装置の表示部に表示させることができる。これにより、例えば、読取装置と通信装置との通信が切断され、当該通信の切断中に１ページ分のファクシミリデータが送信された場合であっても、当該通信が再開されたことを条件として、当該通信の切断中に送信されたファクシミリデータのページ画像を読取装置の表示部に表示させることができる。よって、当該通信の切断中におけるファクシミリデータの送信をユーザに認識させることができる。
【００３０】
また、請求項９および請求項１５に記載の発明は、ファクシミリデータの送信元装置を識別可能な識別情報を受信することにより、通信装置が複数台の読取装置と通信する場合であっても、受信した識別情報により進捗情報の送信先を容易に特定することができる。
【００３１】
また、請求項１０に記載の発明は、読取装置で原稿が読み取られ作成されたファクシミリデータが、読取装置と通信可能な通信装置を経由して送信される場合において、通信装置は、通信装置がファクシミリデータ送信中の進捗状況を示す進捗情報を読取装置へ送信するタイミングを示すタイミング情報に基づいて、通信装置から進捗情報を受信する。そして、読取装置は、受信した進捗情報に基づいて、ファクシミリデータ送信中の進捗状況を表示部に表示する。これにより、読取装置において、ユーザにファクシミリデータ送信中の進捗状況を認識させることができる。
【００３２】
また、請求項１１に記載の発明は、読取装置において、ファクシミリデータに基づく画像のうち所定の割合の画像を表示するために必要なファクシミリデータ量と、その所定の割合とが対応付けて記憶された進捗度テーブルが通信装置へ送信される。そして、通信装置において、ファクシミリデータのうち送信が完了したファクシミリデータ量が、進捗度テーブルに記憶されたファクシミリデータ量に一致することを条件として、当該ファクシミリデータ量に対応する割合を進捗情報として読取装置へ送信される。これにより、通信装置におけるファクシミリデータ送信の進捗情報として、ファクシミリデータに基づく画像がどの部分まで送信されたかを特定することができる。
【００３３】
さらに、請求項１２に記載の発明は、読取装置において、１ページ分のファクシミリデータに基づく画像のうち所定の割合の画像を表示するために必要なファクシミリデータ量と、その所定の割合と、ファクシミリデータのページ番号とが対応付けて記憶された進捗度テーブルがページ毎に作成される。そして、通信装置において、読取装置から受信した進捗度テーブルのうち、１つの進捗度テーブルに対して少なくとも１つの進捗情報をページ番号に対応付けて読取装置へ送信される。これにより、送信されたページを確実に読取装置の表示部に表示させることができる。これにより、例えば、読取装置と通信装置との通信が切断され、当該通信の切断中に１ページ分のファクシミリデータが送信された場合であっても、当該通信が再開されたことを条件として、当該通信の切断中に送信されたファクシミリデータのページ画像を読取装置の表示部に表示させることができる。よって、当該通信の切断中におけるファクシミリデータの送信をユーザに認識させることができる。
【図面の簡単な説明】
【００３４】
【図１】本実施形態の通信システムを示すブロック図である。
【図２】進捗度テーブルの一例を示す図である。
【図３】読取装置の表示部における進捗度の表示例を示す図である。
【図４】読取装置における進捗度表示処理を示すフローチャートである。
【図５】通信ＢＯＸにおける進捗度表示処理を示すフローチャートである。
【図６】読取装置における進捗度テーブル作成処理を示すフローチャートである。
【発明を実施するための形態】
【００３５】
以下、本発明の実施の形態について、図面を参照しつつ詳細に説明する。本実施の形態では、通信装置として、２台の読取装置３０、５０と通信可能な通信ＢＯＸ１０を例に挙げて説明する。
【００３６】
＜システムの構成＞
本実施形態の通信システム１について、図１を参照して説明する。通信システム１は、公衆電話回線網（ＰＳＴＮ）４（本発明の通信回線に相当）により外部ファクシミリ装置３と通信可能な通信ＢＯＸ１０と、通信ＢＯＸ１０と無線ＬＡＮ（Wireless Local Area Network；ＷＬＡＮ）により無線通信可能に接続された読取装置３０、５０とを備える。なお、通信ＢＯＸ１０と読取装置３０、５０との接続方法は、無線ＬＡＮに限定されるものではなく、有線ＬＡＮ、ＵＳＢ接続、またはパラレル接続であってもよい。
【００３７】
以下、各装置の構成を説明する。まず、通信ＢＯＸ１０について説明する。通信ＢＯＸ１０は、ＰＳＴＮ４に接続されたＮＣＵ（Network Control Unit）１１と、ＮＣＵ１１を通じて外部ファクシミリ装置３とファクシミリ通信可能なモデム１２と、無線ＬＡＮを構成する各ノードと無線通信可能な通信インターフェースであるＷＬＡＮ通信部１４と、記憶部１６と、操作部１７と、液晶ディスプレイ等で構成されている表示部１９と、制御部２０とを備える。
【００３８】
記憶部１６は、例えば、ハードディスクまたは不揮発性のメモリ（ＥＥＰＲＯＭ）で構成されており、各種データを記憶する。操作部１７は、操作キー群を備えており、ユーザ操作可能な入力インターフェースとしての機能を実行する。
【００３９】
制御部２０は、ＣＰＵ２１と、ＣＰＵ２１が実行する各種プログラムを記憶するＲＯＭ２３と、プログラム実行時に作業領域として使用されるＲＡＭ２５とを備える。ＲＡＭ２５は、ＰＳＴＮ４を介して受信したファクシミリデータ等を一時的に記憶する。
【００４０】
次に、読取装置３０について説明する。読取装置３０は、記憶部３１と、通信ＢＯＸ１０が備えるＷＬＡＮ通信部１４と同等の通信インターフェースであって通信ＢＯＸ１０と無線ＬＡＮにより通信可能なＷＬＡＮ通信部３４と、ファクシミリデータ送信する原稿等を読み取る読取部３５（本発明の読取手段に相当）と、外部ファクシミリ装置３から受信したファクシミリデータ等を印刷する印刷部３６と、操作部３７と、液晶ディスプレイ等で構成される表示部３９と、制御部４０とを備える。
【００４１】
記憶部３１は、例えば、ハードディスクまたは不揮発性のメモリ（ＥＥＰＲＯＭ）で構成されている。記憶部３１は、ファクシミリデータ（ＦＡＸデータ）３２と、進捗度テーブル３３と、識別ＩＤ（本発明の識別情報に相当）３８とを記憶している。ＦＡＸデータ３２は、読取部３５で読み取られた、ファクシミリデータ送信する原稿の画像データが、ＭＨ（Modified Huffman）方式、ＭＲ（Modified READ）方式、または、ＭＭＲ（Modified Modified READ）方式で圧縮符号化されたデータとして、記憶部３１に記憶されている。識別ＩＤ３８は、読取装置３０を識別可能とする、例えば、英数字等で記載された文字列である。
【００４２】
進捗度テーブル３３は、図２に示すように、所定の割合（例えば、百分率等）で示される進捗度と、１ページ分のＦＡＸデータ３２に基づくページ画像のうち当該進捗度のページ画像を表示するために必要なファクシミリデータ量（ＦＡＸデータ量）と、ページ番号と、通信ＢＯＸ１０から読取装置３０へ当該進捗度が通知されたか否かを示す通知情報とを対応付けて記憶したものである。ここで、１ページ分のＦＡＸデータ３２に基づくページ画像とは、１ページ分のＦＡＸデータ３２に対応する、ファクシミリデータ送信する原稿の１ページ分の画像である。本実施形態において、進捗度テーブル３３は、原稿の画像データを圧縮符号化する処理と並行して、ＦＡＸデータ３２のページ毎に作成され、例えば、図２（ａ）は、ＦＡＸデータ３２の１ページ目における進捗度テーブル、図２（ｂ）は、ＦＡＸデータ３２の２ページ目における進捗度テーブルを示す。なお、進捗度テーブル３３の作成方法については、後で詳細に説明する。また、本実施形態では、進捗度は、百分率で示し、通知情報は、通知済を「ｔｒｕｅ」、未通知を「ｆａｌｓｅ」として示す。
【００４３】
図１に示すように、操作部３７は、方向キー、文字入力が可能なテンキーボードおよび確定ボタン等により構成され、例えば、ユーザによる進捗度の入力等、各種指令の入力インターフェースとしての機能を実現する。
【００４４】
制御部４０は、ＣＰＵ４１と、ＣＰＵ４１が実行する各種プログラムを記憶するＲＯＭ４３と、ＣＰＵ４１によるプログラム実行時に作業領域として使用されるＲＡＭ４５とを備える。
【００４５】
次に、読取装置５０について説明する。なお、読取装置５０は、読取装置３０と同様に構成されているため、詳細な説明は省略する。読取装置５０は、記憶部５１と、ＷＬＡＮ通信部５４と、読取部５５（本発明の読取手段に相当）と、印刷部５６と、操作部５７と、表示部５９と、制御部４０とを備える。
【００４６】
記憶部５１は、ファクシミリデータ（ＦＡＸデータ）５２と、進捗度テーブル５３と、識別ＩＤ５８（本発明の識別情報に相当）とを記憶している。ＦＡＸデータ５２は、読取部５５で読み取られた、ファクシミリデータ送信する原稿の画像データが、読取装置３０におけるＦＡＸデータ３２と同様の形式で圧縮されて、記憶部５１に記憶される。識別ＩＤ５８は、読取装置５０を識別可能とする、例えば、英数字等で記載された文字列である。
【００４７】
進捗度テーブル５３は、読取装置３０における進捗度テーブル３３と同様に構成されており、所定の割合（例えば、百分率等）で示される進捗度と、１ページ分のＦＡＸデータ５２に基づくページ画像のうち当該進捗度のページ画像を表示するために必要なＦＡＸデータ量と、ページ番号と、通信ＢＯＸ１０から読取装置５０へ当該進捗度が通知されたか否かを示す通知情報（例えば、通知済を「ｔｒｕｅ」、未通知を「ｆａｌｓｅ」と示す等）とを対応付けて記憶したものである。本実施形態において、進捗度テーブル５３は、原稿の画像データを圧縮符号化する処理と並行して、ＦＡＸデータ５２のページ毎に作成される。
【００４８】
制御部６０は、ＣＰＵ６１と、ＣＰＵ６１が実行する各種プログラムを記憶するＲＯＭ６３と、ＣＰＵ６１によるプログラム実行時に作業領域として使用されるＲＡＭ６５とを備える。なお、制御部６０は、制御部４０と同様に構成されているため、詳細な説明は省略する。
【００４９】
なお、進捗度テーブル３３、５３の構成は、これに限定されるものではなく、少なくとも、所定の割合で示される進捗度と、１ページ分のＦＡＸデータ３２、５２に基づくページ画像のうち当該進捗度のページ画像を表示するために必要なＦＡＸデータ量とを対応付けて記憶したものであれば、種々の形態を採用することができる。
【００５０】
また、進捗度テーブル３３、５３は、ＦＡＸデータ３２、５２のページ毎に作成されるのではなく、ＦＡＸデータ３２、５２の各々に対して１つの進捗度テーブル３３、５３が作成される構成としてもよい。この場合における進捗度は、複数ページから構成されるＦＡＸデータにおいて、１ページ分のＦＡＸデータに基づくページ画像に対して占める割合ではなく、複数ページ分のＦＡＸデータに基づく画像に対して占める割合である。また、この場合におけるＦＡＸデータ量は、１ページ分のＦＡＸデータに基づくページ画像ではなく、複数ページ分のＦＡＸデータに基づく画像のうち、当該進捗度の画像を表示するために必要なデータ量である。更に、通知情報は、「ｔｒｕｅ／ｆａｌｓｅ」に限定されるものではなく、例えば、「○／×」等、通知したか否かを判断できるものであれば、種々の形態を採用することができる。
【００５１】
＜進捗度表示処理＞
次に、本実施形態の進捗度表示処理について、図２〜図５を参照して詳細に説明する。本実施形態において、通信ＢＯＸ１０が、読取装置３０から送信される送信指示に基づいて、外部ファクシミリ装置３へファクシミリデータ送信を行う場合を想定する。また、本実施形態において、読取装置３０から通信ＢＯＸ１０を経由して外部ファクシミリ装置３へ送信されるＦＡＸデータ３２は、２ページから構成されているとし、このＦＡＸデータ３２に対応する進捗度テーブル３３として、図２に示す進捗度テーブル３３を例に挙げて説明する。
【００５２】
まず、読取装置３０における処理について、図２および図３を参照し、図４の読取装置３０における進捗度表示処理を示すフローチャートに従って、詳細に説明する。この読取装置３０における進捗度表示処理は、ＣＰＵ４１が、ユーザにより操作部３７から入力されたファクシミリデータ送信における送信指示を通信ＢＯＸ１０へ送信することを条件として開始される。
【００５３】
ＣＰＵ４１は、図４のＳ４００において、ＦＡＸデータ３２と当該ＦＡＸデータ３２に対応する進捗度テーブル３３と識別ＩＤ３８と当該ＦＡＸデータ３２の送信条件とを、通信ＢＯＸ１０へ送信する。ここで、送信条件とは、例えば、送信先番号、モノクロ／カラー送信、片面／両面送信、画質等の条件である。また、Ｓ４００で送信するＦＡＸデータ３２は、読取部３５で読み取られ、ＭＨ方式、ＭＲ方式、または、ＭＭＲ方式で圧縮符号化されて記憶部３１に記憶されているものである。
【００５４】
次に、ＣＰＵ４１は、Ｓ４００で通信ＢＯＸ１０へ送信したＦＡＸデータ３２に基づいて表示用データを作成し、ＲＡＭ４５に記憶する（Ｓ４０２）。ここで、表示用データは、ＦＡＸデータ３２に対応する原稿の画像データの解像度より低い解像度の画像データであり、例えば、ＦＡＸデータ３２が復元（デコード）された画像データを、縮小した画像データ等である。なお、本実施形態では、表示用データはＦＡＸデータ３２のページ毎に作成される。また、本実施形態において、表示用データはＲＡＭ４５に記憶されるが、記憶部３１に記憶されていてもよい。
【００５５】
ＣＰＵ４１は、Ｓ４０４において、通信ＢＯＸ１０からＳ４００で送信した送信条件に基づいてファクシミリデータ送信が開始されたことを示す送信開始情報を受信したか否かを判断し、送信開始情報を受信していないと判断された場合（Ｓ４０４：ＮＯ）、送信開始情報を受信するまでＳ４０４の処理を繰り返す。一方、送信開始情報を受信したと判断された場合、ＣＰＵ４１は、ＦＡＸデータ３２の１ページ目に対応する進捗度テーブル３３（図２（ａ）参照）を記憶部３１から読み出し（Ｓ４０６）、ＦＡＸデータ３２の１ページ目の表示用データに基づいて表示される表示画像を表示部３９に表示する（Ｓ４０８）。ここで、本実施形態では、送信先番号、送信先名称、画質、ページ番号を、表示画像とともに表示部３９に表示させる。なお、表示部３９に表示させる項目はこれに限定されるものではなく、少なくとも表示画像が表示されれば、種々の形態を採用することができる。
【００５６】
ＣＰＵ４１は、１ページ目のＦＡＸデータ３２に基づくページ画像のうち、Ｓ４０６で読み出した進捗度テーブル３３の第１行目の進捗度に相当する領域に対応する、表示画像の画像領域を、送信中領域として、表示画像に合成して表示する（Ｓ４１０）。ここで、所定のページ（例えば、１ページ目）のＦＡＸデータに基づくページ画像のうち、進捗度テーブル３３の所定の進捗度（例えば、第１行目の進捗度）に相当する領域とは、当該ページのＦＡＸデータ３２に対応する原稿のページ画像のうち、当該ページにおけるＦＡＸデータ３２の送信の開始位置を起点として、進捗度テーブルの当該進捗度に相当する画像領域である。なお、本実施形態において、ＦＡＸデータ３２の送信の開始位置は各ページの原稿の画像データの左上端に相当する位置とし、また、当該画像データにおいて、左上端から右方向へ順に送信される。
【００５７】
すなわち、本実施形態では、図３（ａ）に示すように、１ページ目の表示画像のうち、ＦＡＸデータ３２の送信の開始位置に対応する位置（送信開始位置）８００を起点として、図２（ａ）に示す進捗度テーブル３３の第１行目の進捗度２５％に相当する画像領域（左斜線部分）を、送信中領域８１として表示画像に合成して表示する。
【００５８】
次に、ＣＰＵ４１は、図４のＳ４１１において、通信ＢＯＸ１０から進捗度とページ番号を受信したか否かを判断し、受信していないと判断された場合（Ｓ４１１：ＮＯ）、Ｓ４１３の処理へ移行する。一方、進捗度とページ番号を受信したと判断された場合（Ｓ４１１：ＹＥＳ）、ＣＰＵ４１は、受信した進捗度とページ番号とを対応付けてＲＡＭ４５に記憶する（Ｓ４１２）。
【００５９】
そして、ＣＰＵ４１は、Ｓ４１３において、ＲＡＭ４５に進捗度が記憶されているか否かを判断し、ＲＡＭ４５に進捗度が記憶されていないと判断された場合（Ｓ４１３：ＮＯ）、Ｓ４１１の処理へ移行する。一方、ＲＡＭ４５に進捗度が記憶されていると判断された場合（Ｓ４１３：ＹＥＳ）、ＣＰＵ４１は、ＲＡＭ４５に記憶されている進捗度のうち、最小の進捗度を取得する（Ｓ４１４）。ここで、最小の進捗度とは、進捗度に対応するページ番号が最も小さい進捗度のうち、進捗度を示す割合が最小のものである。本実施形態において、Ｓ４１４で最小の進捗度として取得された進捗度はＲＡＭ４５から削除される。
【００６０】
なお、本実施形態では、通信ＢＯＸ１０と読取装置３０との間の無線通信が切断されているために、１つの進捗度テーブル３３に示される全ての進捗度を通信ＢＯＸ１０から受信できなかった場合、当該無線通信が接続されたことを条件として、当該進捗度テーブル３３に示される複数の進捗度のうち、少なくとも１つを通信ＢＯＸ１０から受信する。この時、ファクシミリデータ送信の進捗状況が、当該進捗度テーブル３３に対応するページの次のページの進捗度テーブル３３に示される進捗度に相当する場合、次のページの進捗度テーブル３３に示される進捗度と、受信できなかった進捗度とを一緒に通信ＢＯＸ１０から受信する。この場合は、複数の進捗度が受信されてＲＡＭ４５に記憶されるため（Ｓ４１１〜Ｓ４１２）、Ｓ４１４において、ＲＡＭ４５に記憶された複数の進捗度のうち、最小の進捗度が取得される。
【００６１】
次に、ＣＰＵ４１は、Ｓ４１４で取得した進捗度に対応するページ番号と、表示部３９に表示されている表示画像のページ番号とが一致するか否かを判断する（Ｓ４１５）。判断の結果、ページ番号が一致しない場合（Ｓ４１５：ＮＯ）、ＣＰＵ４１は、Ｓ４２４の処理へ移行する。ここで、Ｓ４１４で取得した進捗度に対応するページ番号と、表示部３９で表示されている表示画像のページ番号とが一致しない場合とは、例えば、ＷＬＡＮ通信部１４、３４による通信ＢＯＸ１０と読取装置３０との間の無線通信が切断されたために、１ページ目の進捗度のうち、進捗度「１００％」が受信されず、その後、当該無線通信が再度接続され、２ページ目の進捗度（例えば、「２５％」等）が受信された場合等である。
【００６２】
一方、通信ＢＯＸ１０から受信したページ番号と、表示部３９に表示されている表示画像のページ番号とが一致すると判断された場合（Ｓ４１５：ＹＥＳ）、ＣＰＵ４１は、進捗度に基づいて送信済領域を表示する（Ｓ４１６）。すなわち、図３（ｂ）に示すように、ＣＰＵ４１は、進捗度テーブル３３（図２（ａ）参照）に基づいて、表示中の表示画像のうち、送信開始位置８００を起点として、Ｓ４１４で取得した進捗度に相当する画像領域を、送信済領域８２（右斜線部分）として、表示画像に合成して表示する。
【００６３】
次に、ＣＰＵ４１は、Ｓ４１８において、Ｓ４１４で取得した進捗度が１００％であるか否かを判断し、取得した進捗度が１００％でない場合（Ｓ４１８：ＮＯ）、進捗度に基づいて送信中領域を表示し（Ｓ４２０）、Ｓ４１３の処理へ移行する。具体的には、図３（ｂ）に示すように、ＣＰＵ４１は、図２（ａ）に示す進捗度テーブル３３に基づいて、表示中の表示画像のうち、送信開始位置８００を起点として、Ｓ４１４で取得した進捗度の次の行の進捗度に相当する画像領域のうち、送信済領域を除く画像領域を、送信中領域８１（左斜線部分）として、送信済領域８２と一緒に、表示画像に合成して表示する。なお、本実施形態において、未送信領域８０と送信中領域８１と送信済領域８２とが異なる態様で表示画像に合成される。
【００６４】
ＣＰＵ４１は、図４のＳ４１８の判断の結果、Ｓ４１４で取得した進捗度が１００％である場合（Ｓ４１８：ＹＥＳ）、通信ＢＯＸ１０からファクシミリデータ送信の終了を示す送信完了情報を受信したか否かを判断し（Ｓ４２２）、送信完了情報を受信したと判断された場合（Ｓ４２２：ＹＥＳ）、本処理を終了する。
【００６５】
一方、通信ＢＯＸ１０から送信完了情報を受信していないと判断された場合（Ｓ４２２：ＮＯ）、通信ＢＯＸ１０から外部ファクシミリ装置３へ送信されているＦＡＸデータ３２に次のページがあるか否かを判断する（Ｓ４２４）。ここで、次のページがあるか否かは、記憶部３１に記憶された進捗度テーブル３３のうち、次のページに対応する進捗度テーブル３３があるか否か、または、Ｓ４０２で作成された表示用データのうち、次のページの表示用データがあるか否かにより判断される。そして、次のページがないと判断された場合（Ｓ４２４：ＮＯ）、ＣＰＵ４１は、Ｓ４２２に戻り、Ｓ４２２〜Ｓ４２４の処理を繰り返す。
【００６６】
一方、次のページがあると判断された場合（Ｓ４２４：ＹＥＳ）、ＣＰＵ４１は、記憶部３１から次のページに対応する進捗度テーブル３３を読み出す（Ｓ４２６）。そして、ＣＰＵ４１は、ＲＡＭ４５に記憶された次のページの表示用データに基づいて表示される表示画像を表示部３９に表示し（Ｓ４２８）、Ｓ４１０の処理へ移行する。なお、Ｓ４２８において、次のページの表示用データに基づいて表示される表示画像は、Ｓ４０８の１ページ目の表示用データに基づいて表示される表示画像の場合と同様にして表示される。
【００６７】
ここで、本実施形態の表示部３９における進捗度の表示例を具体的に説明する。図３は、読取装置３０の表示部３９における進捗度の表示例を示す図であり、（ａ）は図４のＳ４１０における表示例、（ｂ）は進捗度「２５％」、（ｃ）は進捗度「５０％」、（ｄ）は進捗度「７５％」、がページ番号「１」と対応付けられてＳ４１４で最小の進捗度として取得された場合の図４のＳ４２０における表示例を示す。なお、図３（ａ）〜（ｄ）において、表示部３９の中に示された太字「Ａ」は、原稿の内容の一例である。
【００６８】
本実施形態では、図３に示すように、表示部３９の右側に、ファクシミリ通信における状態、送信先番号、送信先名称、画質、ページ番号等が表示され、左側に、未送信領域８０、送信中領域８１、送信済領域８２を識別可能に示された、表示用データに基づいて表示される表示画像が表示される。
【００６９】
また、本実施形態では、図４のＳ４１１において、通信ＢＯＸ１０から進捗度「２５％」とページ番号「１」を受信し、Ｓ４１２〜Ｓ４２０の処理を行い、以降、Ｓ４１１において、進捗度「５０％」、「７５％」、「１００％」を、それぞれページ番号「１」と一緒に、順に受信し、受信した順に、それぞれＳ４１２〜Ｓ４２０の処理を行う場合を想定する。なお、本実施形態において、通信ＢＯＸ１０から進捗度「２５％」とページ番号「１」を受信した際に、ＲＡＭ４５に記憶されている進捗度は無いものとする。
【００７０】
まず、図３（ａ）に示すように、図４のＳ４１０において、１ページ目の表示画像のうち、送信開始位置８００を起点として、進捗度テーブル３３（図２（ａ）参照）の第１行目の進捗度２５％に相当する画像領域が送信中領域８１（左斜線部分）として、未送信領域８０と異なる態様で、境界を接するように表示画像に合成されて表示される。
【００７１】
次に、図４のＳ４１１において、通信ＢＯＸ１０から進捗度「２５％」とページ番号「１」を受信し、Ｓ４１２〜Ｓ４１３の処理を行い、Ｓ４１４において、最小の進捗度としてＳ４１１で受信した進捗度を取得する。そして、表示画像のページ番号は「１」であり（Ｓ４１５：ＹＥＳ）、また、取得した進捗度は１００％でないため（Ｓ４１８：ＮＯ）、進捗度「２５％」に基づいて送信済領域８２および送信中領域８１が表示部３９に表示される。
【００７２】
すなわち、図３（ｂ）に示すように、表示部３９に表示中の１ページ目の表示画像のうち、送信開始位置８００を起点として進捗度２５％に相当する画像領域が送信済領域８２（右斜線部分）として、表示画像に合成されて表示される。また、１ページ目の表示画像のうち、送信開始位置８００を起点として、進捗度テーブル３３（図２（ａ）参照）のうち、受信した進捗度２５％の次の行の進捗度５０％に相当する画像領域から、送信済領域８２を除いた画像領域が送信中領域８１（左斜線部分）として、表示画像に合成されて表示される。なお、本実施形態において、送信済領域８２と送信中領域８１と未送信領域８０とがそれぞれ異なる態様で境界を接するように表示される。
【００７３】
そして、再び図４のＳ４１１に戻り、通信ＢＯＸ１０から進捗度「５０％」とページ番号「１」を受信し、Ｓ４１２〜Ｓ４１３の処理を行い、Ｓ４１４において、最小の進捗度としてＳ４１１で受信した進捗度を取得する。そして、表示画像のページ番号は「１」であり（Ｓ４１５：ＹＥＳ）、また、取得した進捗度は１００％でないため（Ｓ４１８：ＮＯ）、進捗度「５０％」に基づいて送信済領域８２および送信中領域８１が表示部３９に表示される。
【００７４】
すなわち、図３（ｃ）に示すように、１ページ目の表示画像のうち、送信開始位置８００を起点とする進捗度５０％に相当する画像領域が送信済領域８２（右斜線部分）として、表示画像に合成されて表示される。また、１ページ目の表示画像のうち、送信開始位置８００を起点として、進捗度テーブル３３（図２（ａ）参照）のうち、受信した進捗度５０％の次の行の進捗度７５％に相当する画像領域から、送信済領域８２を除いた画像領域が送信中領域８１（左斜線部分）として、表示画像に合成されて表示される。
【００７５】
さらに、再び図４のＳ４１１に戻り、通信ＢＯＸ１０から進捗度「７５％」とページ番号「１」を受信し、Ｓ４１２〜Ｓ４１３の処理を行い、Ｓ４１４において、最小の進捗度としてＳ４１１で受信した進捗度を取得する。そして、表示画像のページ番号は「１」であり（Ｓ４１５：ＹＥＳ）、また、取得した進捗度は１００％でないため（Ｓ４１８：ＮＯ）、進捗度「７５％」に基づいて送信済領域８２および送信中領域８１が表示部３９に表示される。
【００７６】
すなわち、図３（ｄ）に示すように、１ページ目の表示画像のうち、送信開始位置８００を起点として、進捗度７５％に相当する画像領域が送信済領域８２（右斜線部分）として、表示画像に合成されて表示される。また、１ページ目の表示画像のうち、送信開始位置８００を起点として、進捗度テーブル３３（図２（ａ）参照）のうち、受信した進捗度７５％の次の行の進捗度１００％に相当する画像領域から、送信済領域８２を除いた画像領域が送信中領域８１（左斜線部分）として、表示画像に合成されて表示される。
【００７７】
そして、再び図４のＳ４１１に戻り、通信ＢＯＸ１０から進捗度「１００％」とページ番号「１」を受信し、Ｓ４１２〜Ｓ４１３の処理を行い、Ｓ４１４において、最小の進捗度としてＳ４１１で受信した進捗度を取得する。そして、Ｓ４１５〜Ｓ４１６の処理後、Ｓ４１８において、取得した進捗度が１００％であるため（Ｓ４１８：ＹＥＳ）、Ｓ４２２の処理に移行する。
【００７８】
本実施形態において、ＦＡＸデータ３２は２ページから構成されているので、次のページに対応する進捗度テーブル３３を読み出し（Ｓ４２６）、次のページの表示用データに基づいて表示される表示画像を表示部３９に表示して（Ｓ４２８）、１ページ目と同様に、図３（ａ）〜（ｄ）のように表示画像が遷移して表示される。
【００７９】
また、本実施形態では、Ｓ４１１において、通信ＢＯＸ１０から複数の進捗度を受信した場合、受信した全ての進捗度を、各々の進捗度に対応するページ番号と対応付けてＲＡＭ４５に記憶する。
【００８０】
次に、通信ＢＯＸ１０における処理について、図２を参照し、図５の通信ＢＯＸ１０における進捗度表示処理を示すフローチャートに従って、詳細に説明する。通信ＢＯＸ１０における進捗度表示処理は、ＣＰＵ２１が、ユーザにより読取装置３０の操作部３７から入力されたファクシミリデータ送信における送信指示を読取装置３０から受信することを条件として開始される。
【００８１】
ＣＰＵ２１は、図５のＳ５００において、ＦＡＸデータ３２と当該ＦＡＸデータ３２に対応する進捗度テーブル３３と識別ＩＤ３８と当該ＦＡＸデータ３２の送信条件とを、読取装置３０から受信し、ＲＡＭ２５に記憶する。
【００８２】
次に、ＣＰＵ２１は、Ｓ５００で受信した進捗度テーブル３３のうち、ＦＡＸデータ３２の１ページ目に対応する進捗度テーブル３３（図２（ａ）参照）の第１行目にフラグを立てる（Ｓ５０４）。そして、ＣＰＵ２１は、外部ファクシミリ装置３へのファクシミリデータ送信を開始する（Ｓ５０６）。具体的には、ＣＰＵ２１は、ファクシミリデータ送信であることを通知するＣＮＧ信号（コーリングトーン信号）を、ＰＳＴＮ４を介して外部ファクシミリ装置３へ送信し、その後、ファクシミリ自動受信を通知するＣＥＤ信号（被呼局識別信号）を受信する。そして、外部ファクシミリ装置３による能力通知や、通信ＢＯＸによる通信モードの指示等を示す種々の信号を、ＰＳＴＮ４を介して送受信することにより、外部ファクシミリ装置３へのファクシミリデータ送信が開始される。
【００８３】
Ｓ５０８において、ＣＰＵ２１は、Ｓ５００で受信した送信条件に基づいてファクシミリデータ送信が開始されたことを示す送信開始情報を、Ｓ５００で受信した識別ＩＤに対応する読取装置へ通知する。すなわち、本実施形態において、ＣＰＵ２１は、読取装置３０へ送信開始情報を通知する。そして、ＣＰＵ２１は、ＰＳＴＮ４を介して外部ファクシミリ装置３へ送信が完了したＦＡＸデータ３２のデータ量を取得し、当該データ量が、進捗度テーブル３３におけるＳ５０４でフラグを立てた位置のＦＡＸデータ量に一致するか否かを判断する（Ｓ５１０）。例えば、図２（ａ）の進捗度テーブル３３において、第１行目にフラグがある場合、ＣＰＵ２１は、送信が完了したＦＡＸデータ３２のデータ量が、第１行目のＦＡＸデータ量「１００キロバイト（ｋＢ）」に一致するか否かを判断する。送信が完了したＦＡＸデータ３２のデータ量がフラグの位置のＦＡＸデータ量に一致しないと判断された場合（Ｓ５１０：ＮＯ）、ＣＰＵ２１は、一致すると判断されるまでＳ５１０の処理を繰り返す。
【００８４】
一方、送信完了したＦＡＸデータ３２のデータ量が、進捗度テーブル３３におけるフラグの位置のＦＡＸデータ量に一致すると判断された場合（Ｓ５１０：ＹＥＳ）、ＣＰＵ２１は、進捗度テーブル３３のフラグの位置に対応する進捗度とページ番号とを、Ｓ５００で受信した識別ＩＤに対応する読取装置へ送信する（Ｓ５１２）。すなわち、本実施形態において、ＣＰＵ２１は、当該進捗度とページ番号とを読取装置３０へ送信する。例えば、図２（ａ）の進捗度テーブル３３において、第１行目にフラグがある場合、ＣＰＵ２１は、第１行目の進捗度「２５％」とページ番号「１」とを読取装置３０へ送信する。
【００８５】
そして、ＣＰＵ２１は、Ｓ５１２で進捗度とページ番号とを読取装置３０へ送信できたか否かを判断し（Ｓ５１４）、送信できなかったと判断された場合（Ｓ５１４：ＮＯ）、Ｓ５１８の処理へ移行する。ここで、進捗度とページ番号とを読取装置３０へ送信できない場合とは、例えば、ＷＬＡＮ通信部１４、３４による通信ＢＯＸ１０と読取装置３０との間の無線通信が切断されている場合である。
【００８６】
一方、進捗度とページ番号とを読取装置３０へ送信できたと判断された場合（Ｓ５１４：ＹＥＳ）、ＣＰＵ２１は、Ｓ５１２で送信した進捗度を読取装置３０へ通知済として、進捗度テーブル３３の通知情報を更新する（Ｓ５１６）。すなわち、図２（ａ）の進捗度テーブル３３において、Ｓ５１２において進捗度「２５％」を読取装置３０へ送信した場合、ＣＰＵ２１は、進捗度「２５％」に対応する第１行目の通知情報を「ｆａｌｓｅ」から「ｔｒｕｅ」へ変更する。
【００８７】
次に、ＣＰＵ２１は、Ｓ５１２で送信した進捗度が１００％であるか否かを判断し（Ｓ５１８）、送信した進捗度が１００％でない場合（Ｓ５１８：ＮＯ）、進捗度テーブル３３に立てられたフラグの位置を次の行に移行し（Ｓ５２０）、Ｓ５１０の処理へ戻る。そして、Ｓ５１８において、読取装置３０へ進捗度「１００％」を送信したと判断されるまでＳ５１０〜Ｓ５２０の処理を繰り返す。
【００８８】
一方、Ｓ５１２で送信した進捗度が１００％である場合（Ｓ５１８：ＹＥＳ）、ＣＰＵ２１は、外部ファクシミリ装置３へ送信されているＦＡＸデータ３２に次のページがあるか否かを判断する（Ｓ５２２）。次のページがあると判断された場合（Ｓ５２２：ＹＥＳ）、ＣＰＵ２１は、次のページに対応する進捗度テーブル３３をＲＡＭ２５から読み出し（Ｓ５２４）、Ｓ５０４の処理へ戻り、Ｓ５２２において、次のページがないと判断されるまで、Ｓ５０４〜Ｓ５２４の処理を繰り返す。
【００８９】
一方、外部ファクシミリ装置３へ送信されているＦＡＸデータ３２に次のページがないと判断された場合（Ｓ５２２：ＮＯ）、ＣＰＵ２１は、ファクシミリデータ送信の終了を示す送信完了情報を、Ｓ５００で受信した識別ＩＤに対応する読取装置へ送信し（Ｓ５２６）、本処理を終了する。すなわち、本実施形態において、ＣＰＵ２１は、送信完了情報を読取装置３０へ送信して、本処理を終了する。
【００９０】
なお、本実施形態において、Ｓ５１２で読取装置３０へ送信する進捗度は、少なくとも進捗度テーブル３３のフラグの位置に対応する進捗度を含むものであれば、種々の形態を採用することができる。
【００９１】
例えば、Ｓ５１２で進捗度とページ番号を読取装置３０へ送信する際、進捗度テーブル３３のうち、フラグの位置の進捗度より小さく、かつ、未通知の進捗度がある場合、フラグの位置の進捗度より小さく、かつ、未通知の進捗度を、フラグの位置の進捗度と一緒に読取装置３０へ送信してもよい。ここで、フラグの位置の進捗度より小さく、かつ、未通知の進捗度がある場合とは、例えば、Ｓ５１４で進捗度とページ番号とを読取装置３０へ送信できなかったと判断された場合である。また、進捗度テーブル３３のうち、フラグの位置の進捗度より小さく、かつ、未通知の進捗度とは、例えば、図２（ｂ）の進捗度テーブル３３において、フラグの位置が第３行目にある場合、第３行目の進捗度「７５％」より小さく、かつ、通知情報が「ｆａｌｓｅ」である、第２行目の進捗度「５０％」である。
【００９２】
また、本実施形態では、通信ＢＯＸ１０と読取装置３０との間の無線通信が切断されているために、進捗度テーブル３３に示される全ての進捗度を読取装置３０へ送信できなかった場合、当該無線通信が接続されたことを条件として、進捗度テーブル３３に示される複数の進捗度のうち、少なくとも１つを読取装置３０へ送信する。なお、進捗度テーブル３３に示される全ての進捗度を読取装置３０へ送信できなかった場合とは、読取装置３０において、当該進捗度テーブル３３に対応するページの進捗度を１つも受信していない場合であり、すなわち、ユーザが、読取装置３０において、当該進捗度テーブルに対応するページのファクシミリデータ送信の進捗状況を認識できていない場合である。また、この場合、読取装置３０へ送信する少なくとも１つの進捗度が、少なくとも進捗度「１００％」を含むものであれば、そのページの全データを送信できたことをユーザに認識させることができるため、好適である。
【００９３】
＜進捗度テーブル作成処理＞
次に本実施形態の進捗度テーブル作成処理について、図２を参照し、図６の読取装置３０における進捗度テーブル作成処理を示すフローチャートに従って、詳細に説明する。本実施形態では、読取装置３０が通信ＢＯＸ１０へ送信指示を送信する場合を想定する。すなわち、読取装置３０において、読取部３５で原稿が読み取られて作成されたＦＡＸデータ３２に対応する進捗度テーブル３３が作成される場合を想定する。本実施形態は、ユーザによる操作部３７の入力に基づいて、所望の進捗度を設定可能であり、設定された進捗度はＲＡＭ４５に記憶される（本発明の設定手段に相当）。なお、本実施形態において、読取部３５で読み取られたＦＡＸデータ３２は、２ページから構成され、ＦＡＸデータ３２の各ページにおいて、進捗度「２５％」、「５０％」、「７５％」が設定されているとし、このＦＡＸデータ３２に対応する進捗度テーブル３３として、図２に示す進捗度テーブルを例に挙げて説明する。
【００９４】
読取装置３０における進捗度テーブル作成処理は、操作部３７から送信条件が入力され、ＣＰＵ４１が、読取部３５による原稿の読み取りを開始することを条件として開始される。
【００９５】
ＣＰＵ４１は、図６のＳ６００において、読取部３５で読み取られた原稿の画像データをＲＡＭ４５に記憶する。ここで、読取部３５で読み取られた原稿の画像データは、読取部３５における原稿の読取処理と並行して、随時、ＲＡＭ４５に記憶される。
【００９６】
次に、ＣＰＵ４１は、Ｓ６０２において、原稿の１行（１ライン）分の画像データがＲＡＭ４５に記憶されたか否かを判断する。ＲＡＭ４５に記憶されている画像データのデータ量が原稿の１行分に満たない場合（Ｓ６０２：ＮＯ）、ＣＰＵ４１は、Ｓ６００の処理へ戻り、ＲＡＭ４５に原稿の１行分の画像データが記憶されるまでＳ６００〜Ｓ６０２の処理を繰り返す。
【００９７】
一方、ＲＡＭ４５に原稿の１行分の画像データが記憶されていると判断された場合（Ｓ６０２：ＹＥＳ）、ＣＰＵ４１は、ＲＡＭ４５に記憶された、原稿の１行分の画像データを圧縮してＦＡＸデータ３２を作成する（Ｓ６０４）。なお、本実施形態において、ＦＡＸデータ３２は、画像データがＭＨ方式、ＭＲ方式、または、ＭＭＲ方式で、原稿１行分ずつ圧縮符号化されることにより作成される。
【００９８】
次に、ＣＰＵ４１は、ＦＡＸデータ３２の進捗度を演算する（Ｓ６０６）。すなわち、ＣＰＵ４１は、原稿の何行分の画像データが圧縮されたかに基づいて、Ｓ６０４で圧縮して作成されたＦＡＸデータ３２に相当する行数が原稿の１ページに占める割合を演算し、当該割合を進捗度として取得する。
【００９９】
そして、ＣＰＵ４１は、Ｓ６０６で取得した進捗度が、予め設定された進捗度に達したか否かを判断する（Ｓ６０８）。すなわち、本実施形態では、進捗度として、「２５％」、「５０％」、「７５％」が設定されているので、これらの進捗度のうち、Ｓ６０８で取得した進捗度と一致するものがあるか否かを判断する。設定された進捗度に達していないと判断された場合（Ｓ６０８：ＮＯ）、Ｓ６００の処理へ戻る。
【０１００】
一方、設定された進捗度に達したと判断された場合（Ｓ６０８：ＹＥＳ）、ＣＰＵ４１は、ＦＡＸデータ３２のデータ量を取得する（Ｓ６１０）。そして、ＣＰＵ４１は、進捗度テーブル３３に、ＦＡＸデータ３２に対応するページ番号と、Ｓ６１０で取得したＦＡＸデータ量と、Ｓ６０６で演算した進捗度とを、対応付けて記憶する。本実施形態では、例えば、ＦＡＸデータ３２の１ページ目において、Ｓ６０６で進捗度「２５％」、Ｓ６１０で「１００ｋＢ」を取得した場合、図２（ａ）の進捗度テーブル３３の第１行目に示すように、各種情報が対応付けて記憶される。なお、通知情報は、「ｆａｌｓｅ」として第１行目の各種情報に対応付けて記憶される。
【０１０１】
ＣＰＵ４１は、設定された全ての進捗度が、進捗度テーブル３３に記憶済みであるか否かを判断し（Ｓ６１３）、設定された進捗度のうち、記憶されていない進捗度があると判断された場合（Ｓ６１３：ＮＯ）、Ｓ６００の処理へ戻る。本実施形態において、設定された進捗度「２５％」、「５０％」、「７５％」のうち、まずＳ６１２で「２５％」がページ番号とＦＡＸデータ量と対応付けて進捗度テーブル３３に記憶される。そして、設定された進捗度のうち、進捗度テーブル３３に記憶されていない進捗度があるので、Ｓ６００〜Ｓ６１３の処理が繰り返され、「５０％」、「７５％」の順に、それぞれＦＡＸデータ量とページ番号とを対応付けて、進捗度テーブル３３に記憶される。
【０１０２】
一方、設定された全ての進捗度が進捗度テーブル３３に記憶されていると判断された場合（Ｓ６１３：ＹＥＳ）、ＣＰＵ４１は、原稿の１ページ分の画像データが圧縮されたか否かを判断する（Ｓ６１４）。原稿の１ページ分の画像データが圧縮されていないと判断された場合（Ｓ６１４：ＮＯ）、原稿の１ページ分の画像データが圧縮されるまでＳ６１４の処理を繰り返す。
【０１０３】
一方、原稿の１ページ分の画像データが圧縮されたと判断された場合（Ｓ６１４：ＹＥＳ）、ＣＰＵ４１は、ＦＡＸデータ３２のデータ量を取得する（Ｓ６１６）。
【０１０４】
そして、ＣＰＵ４１は、進捗度テーブル３３に、ＦＡＸデータ３２に対応するページ番号と、Ｓ６１６で取得したＦＡＸデータ量と、進捗度「１００％」とを、対応付けて記憶する（Ｓ６１８）。本実施形態では、例えば、ＦＡＸデータ３２の１ページ目において、Ｓ６１６で「２５０ｋＢ」を取得した場合、図２（ａ）の進捗度テーブル３３の第４行目に示すように、各種情報が対応付けて記憶される。なお、通知情報は、「ｆａｌｓｅ」として第４行目の各種情報に対応付けて記憶される。
【０１０５】
そして、ＣＰＵ４１は、ＦＡＸデータ３２に対応するページの次のページに対応する画像データがあるか否かを判断し（Ｓ６２０）、次のページに対応する画像データがある場合（Ｓ６２０：ＹＥＳ）、Ｓ６００の処理に戻る。一方、次のページに対応する画像データがない場合（Ｓ６２０：ＮＯ）、ＣＰＵ４１は本処理を終了する。
【０１０６】
本実施形態では、読取部３５により読み取られた原稿の画像データは２ページから構成されているため、Ｓ６２０で２ページ目の画像データがあると判断され、Ｓ６００の処理に戻り、Ｓ６００〜Ｓ６２０の処理を繰り返すことにより、例えば、図２（ｂ）のような２ページ目に対応する進捗度テーブル３３を作成し、本処理を終了する。
【０１０７】
以上説明したように、読取装置３０で原稿が読み取られて作成されたＦＡＸデータ３２が、読取装置３０と通信可能な通信ＢＯＸ１０を経由して送信される場合において、通信ＢＯＸ１０は、ファクシミリデータ送信中の進捗状況を示す進捗情報（例えば、進捗度）を送信するタイミングを示す、タイミング情報（例えば、進捗度テーブル３３）に基づいて、進捗情報を読取装置３０へ送信する（図５のＳ５１２）。そして、読取装置３０は、その進捗情報に基づいて、ファクシミリデータ送信中の進捗状況を、表示部３９に表示させる（図４のＳ４１６、Ｓ４２０）。これにより、読取装置３０において、ユーザにファクシミリデータ送信中の進捗状況を認識させることができる。
【０１０８】
また、一般に、原稿を読み取ってＦＡＸデータを作成し、ＰＳＴＮを介して当該ＦＡＸデータを外部ファクシミリ装置へ送信するファクシミリ装置は、当該ファクシミリ装置に備えられたバスラインを介して、ファクシミリデータ送信の進捗情報を随時（例えば、ＦＡＸデータ１ライン毎等）取得することが可能である。一方、本実施形態のように、原稿を読み取ってＦＡＸデータを作成する読取装置と無線通信可能な通信装置（例えば、通信ＢＯＸ１０）が、当該読取装置から受信したＦＡＸデータをＰＳＴＮを介して外部ファクシミリ装置へ送信する構成において、当該進捗情報を通信装置から読取装置へ随時送信する場合、当該読取装置と当該通信装置との間の無線通信のトラフィックが増大する。これにより、当該無線通信の通信品質が低下するという問題が発生する。
【０１０９】
そこで、本実施形態では、読取装置３０において、タイミング情報（例えば、進捗度テーブル３３）を作成して通信ＢＯＸ１０へ送信し、通信ＢＯＸ１０において、当該タイミング情報に基づいて、進捗情報を読取装置３０へ送信する（図５のＳ５１２）。これにより、原稿を読み取ってＦＡＸデータを作成する読取装置３０と無線通信可能な通信ＢＯＸ１０が、当該読取装置３０から受信したＦＡＸデータ３２をＰＳＴＮ４を介して外部ファクシミリ装置３へ送信する構成においても、読取装置３０と通信ＢＯＸ１０との間の無線通信のトラフィックの増大を抑制しつつ、適切なタイミングでユーザにファクシミリデータ送信中の進捗状況を認識させることができる。
【０１１０】
また、読取装置３０において、ＦＡＸデータ３２に基づく画像のうち所定の割合の画像を表示するために必要なＦＡＸデータ量と、その所定の割合とが対応付けて記憶された進捗度テーブル３３が作成され（図６）、通信ＢＯＸ１０へ送信される（図４のＳ４００）。そして通信ＢＯＸ１０において、ＦＡＸデータ３２のうち送信が完了したＦＡＸデータ量が、進捗度テーブル３３に記憶されたＦＡＸデータ量に一致することを条件として、当該ＦＡＸデータ量に対応する割合を進捗度として読取装置３０へ送信される（図５のＳ５１０〜Ｓ５１２）。これにより、通信ＢＯＸ１０におけるファクシミリデータ送信の進捗情報として、ＦＡＸデータ３２に基づく画像がどの部分まで送信されたかを特定することができる。
【０１１１】
また、進捗度テーブル３３は、１ページ分のＦＡＸデータ３２に基づくページ画像のうち所定の割合のページ画像を表示するために必要なＦＡＸデータ量と、その所定の割合と、ＦＡＸデータ３２のページ番号とが対応付けて記憶され、ＦＡＸデータ３２のページ毎に作成される（図６）。そして、通信ＢＯＸ１０において、１つの進捗度テーブル３３に対して少なくとも１つの進捗度をページ番号に対応付けて読取装置３０へ送信することにより（図５のＳ５１２）、ファクシミリデータ送信されたページを確実に表示部３９に表示させることができる。これにより、例えば、読取装置３０と通信ＢＯＸ１０との無線通信が切断され、当該無線通信の切断中に１ページ分のＦＡＸデータ３２が送信された場合であっても、当該無線通信が再開されたことを条件として、当該無線通信の切断中に送信されたＦＡＸデータ３２のページ画像を表示部３９に表示させることができる。よって、当該無線通信の切断中におけるＦＡＸデータ３２の送信をユーザに認識させることができる。
【０１１２】
また、ＦＡＸデータ３２における所定の割合を進捗度として設定可能とすることにより、各々のＦＡＸデータについて、ユーザにより操作部３７から設定された所望の進捗度に基づいて、ファクシミリデータ送信中の進捗状況をユーザに認識させることができる。
【０１１３】
また、表示用データに基づいて表示される表示画像のうち、進捗度に基づいて、ファクシミリデータ送信中を示す送信中領域８１を、他の部分と異なる態様で表示部３９に表示させることにより（図４のＳ４２０）、ユーザにファクシミリデータ送信中の進捗状況をより容易に認識させることができる。
【０１１４】
さらに、通信ＢＯＸ１０は、ＦＡＸデータ３２の送信元装置を識別可能な識別ＩＤ３８を受信することにより（図５のＳ５００）、通信ＢＯＸ１０が複数台の読取装置と通信する場合であっても、受信した識別ＩＤ３８により進捗度の送信先を容易に特定することができる。
【０１１５】
以上、本発明の一実施形態について説明したが、本発明は上記実施形態に限定されるものではなく、本発明の要旨を逸脱しない範囲内で種々の態様を採ることができる。
【０１１６】
本実施形態では、通信ＢＯＸ１０が、読取装置３０からの送信指示に基づいて、外部ファクシミリ装置３へファクシミリデータ送信を行う場合を想定したが、これに限定されるものではなく、読取装置５０からの送信指示に基づいて、外部ファクシミリ装置３へファクシミリデータ送信を行ってもよい。この場合、読取装置５０における処理は、読取装置３０における進捗度表示処理（図４参照）および進捗度テーブル作成処理（図６参照）と同様であるため、詳細な説明は省略する。
【０１１７】
また、本実施形態の通信システム１は、通信ＢＯＸ１０と、２台の読取装置３０、５０とから構成されているが、これに限定されるものではなく、通信ＢＯＸ１０と、通信ＢＯＸ１０と通信可能な少なくとも１台以上の読取装置と、から構成された通信システムであれば、種々の形態を採用することができる。
【０１１８】
また、本実施形態では、読取装置３０、５０を例に挙げて説明したが、これに限定されるものではなく、ＰＳＴＮ４を介して外部ファクシミリ装置３へファクシミリ送信するファクシミリデータを作成し、通信ＢＯＸ１０へ当該ファクシミリデータを送信可能であり、外部ファクシミリ装置３からＰＳＴＮ４を介して通信ＢＯＸ１０が受信したファクシミリデータを、通信ＢＯＸ１０から受信可能な装置であれば、種々の形態を採用することができる。
【０１１９】
また、本実施形態の進捗度表示処理（図４、図５参照）では、読取装置３０は進捗度とページ番号を通信ＢＯＸ１０から受信しているが（図４のＳ４１１参照）、外部ファクシミリ装置３へ送信したＦＡＸデータ３２のデータ量とページ番号とを、通信ＢＯＸ１０から受信する構成としてもよい。この場合、読取装置３０は、進捗度テーブル３３に基づいて、通信ＢＯＸ１０から受信したデータ量に対応する進捗度を取得し、その進捗度に基づいて進捗状況を表示部３９に表示することにより、本実施形態と同様の効果を奏することができる。
【０１２０】
また、本実施形態では、読取装置３０は進捗度テーブル３３を通信ＢＯＸ１０へ送信しているが、外部ファクシミリ装置３へ送信したＦＡＸデータ３２のデータ量とページ番号を、通信ＢＯＸ１０から受信する構成とした場合において、読取装置３０は、進捗度テーブルのうち、データ量とページ番号と通知情報のみが対応付けられて記憶されたテーブルを作成し、通信ＢＯＸ１０へ送信してもよい。
【０１２１】
また、本実施形態の進捗度テーブル作成手段（図６参照）において、進捗度テーブル３３の進捗度は、予め、ユーザによる操作部３７の入力に基づいて、ユーザ所望の進捗度が設定されているが、予め読取装置３０で進捗度が設定されていてもよい。
【０１２２】
また、本実施形態では、ＦＡＸデータ３２を復元した画像データに基づいて表示用データを作成しているが（図４のＳ４０２参照）、進捗度テーブル表示処理（図６参照）の際に、読取部３５で読み取られた原稿の画像データを記憶部３１に記憶しておき、当該画像データに基づいて表示用データを作成してもよい。
【０１２３】
さらに、本実施形態において、読取装置３０の表示部３９は、表示用データに基づいて表示される表示画像、ファクシミリ通信における状態、送信先番号、送信先名称、画質、ページ番号が表示される構成となっているが（図３参照）、表示部３９の表示される項目や配置は、これに限定されるものではなく、少なくとも送信中領域が識別可能に示された表示画像を表示されるものであれば、種々の形態を採用することができる。
【０１２４】
なお、図４に示すフローチャートにおいて、Ｓ４００は本発明のデータ送信手段およびタイミング情報送信手段、Ｓ４０２は本発明の表示用データ作成手段、Ｓ４１１は本発明の進捗情報受信手段、Ｓ４１６およびＳ４２０は本発明の表示制御手段に相当する。
【０１２５】
また、図５に示すフローチャートにおいて、Ｓ５００は本発明のデータ受信手段およびタイミング情報受信手段、Ｓ５０６は本発明のファクシミリデータ送信手段、Ｓ５１０は本発明の判断手段、Ｓ５１２は本発明の進捗情報取得手段および進捗情報送信手段に相当する。
【０１２６】
また、図６に示すフローチャートにおいて、Ｓ６０４は本発明のファクシミリデータ作成手段、Ｓ６１０およびＳ６１６は本発明のデータ量取得手段、Ｓ６１２およびＳ６１８は本発明の進捗度テーブル作成手段に相当する。
【符号の説明】
【０１２７】
１                通信システム
３                外部ファクシミリ装置
４                公衆電話回線網（ＰＳＴＮ）
１０              通信ＢＯＸ
１４、３４、５４  ＷＬＡＮ通信部
１６、３１、５１  記憶部
１７、３７、５７  操作部
１９、３９、５９  表示部
２１、４１、６１  ＣＰＵ
２５、４５、６５  ＲＡＭ
３０、５０        読取装置
３２、５２        ＦＡＸデータ
３３、５３        進捗度テーブル
３８、５８        識別ＩＤ
８０              未送信領域
８１              送信中領域
８２              送信済領域
８００            送信開始位置
【図１】
2011071687.tif 000003
【図２】
2011071687.tif 000004
【図４】
2011071687.tif 000005
【図５】
2011071687.tif 000006
【図６】
2011071687.tif 000007
【図３】
2011071687.tif 000008